【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】
処理情報が付された紙葉類を供給する供給手段と、
この供給手段から紙葉類を順次１枚づつ取出して搬送する搬送手段と、
この搬送手段によって搬送される紙葉類の処理情報を読取る読取り手段と、
この読取り手段による読取り信号にもとづいて紙葉類を区分集積する区分手段と、
この区分手段に設けられ、区分手段における紙葉類の残留の有無を検知する検知手段と、
この検知手段から検知信号を受け、それに応じた指示をなす制御手段と、
を具備したことを特徴とする紙葉類処理装置。
【請求項２】
処理情報が付された紙葉類を供給する供給手段と、
この供給手段から紙葉類を順次１枚づつ取出して搬送する搬送手段と、
この搬送手段によって搬送される紙葉類の処理情報を読取る読取り手段と、
この読取り手段による読取り信号にもとづいて紙葉類を区分集積する区分手段と、
この区分手段に設けられ、区分手段における紙葉類の残留の有無を検知する検知手段と、
この検知手段から検知信号を受け、残留が有る場合にはその区分手段の位置を報知するとともに作業を停止する制御手段と、
を具備したことを特徴とする紙葉類処理装置。
【請求項３】
処理情報が付された紙葉類を供給する供給手段と、
この供給手段から紙葉類を順次１枚づつ取出して搬送する搬送手段と、
この搬送手段によって搬送される紙葉類の処理情報を読取る読取り手段と、
この読取り手段による読取り信号にもとづいて紙葉類を区分集積する区分手段と、
この区分手段に設けられ、区分手段における紙葉類の残留の有無を検知する検知手段と、
この検知手段から検知信号を受け、残留が有る場合にはその区分手段の位置を報知するとともに作業を停止し、残量が無くなった状態で作業再開の指示をなす制御手段と、
を具備したことを特徴とする紙葉類処理装置。
【請求項４】
処理情報が付された紙葉類を供給する供給手段と、
この供給手段から紙葉類を順次１枚づつ取出して搬送する搬送手段と、
この搬送手段によって搬送される紙葉類の処理情報を読取る読取り手段と、
この読取り手段による読取り信号にもとづいて紙葉類を区分集積する区分手段と、
この区分手段に設けられ、区分手段における紙葉類の残留の有無を検知する検知手段と、
この検知手段から検知信号を受け、残留が有る場合にはその区分手段の位置を報知するとともに作業を停止し、残量が無くなった状態で作業再開の指示をなす、もしくは作業の開始を許可する制御手段と、
を具備したことを特徴とする紙葉類処理装置。
【請求項５】
順序不同で供給される紙葉類を２段階の区分によって所望の順序に並べ替える機能を有する紙葉類処理装置であって、
処理情報が付された紙葉類を供給する供給手段と、
この供給手段から紙葉類を順次１枚づつ取出して搬送する搬送手段と、
この搬送手段によって搬送される紙葉類の処理情報を読取る読取り手段と、
この読取り手段による読取り信号にもとづいて紙葉類を区分集積する区分手段と、
この区分手段に設けられ、区分手段における紙葉類の残留の有無を検知する検知手段と、
この検知手段から検知信号を受け、それに応じた制御をなす制御手段と、
を具備したことを特徴とする紙葉類処理装置。
【請求項６】
順序不同で供給される紙葉類を２段階の区分によって所望の順序に並べ替える機能を有する紙葉類処理装置であって、
処理情報が付された紙葉類を供給する供給手段と、
この供給手段から紙葉類を順次１枚づつ取出して搬送する搬送手段と、
この搬送手段によって搬送される紙葉類の処理情報を読取る読取り手段と、
この読取り手段による読取り信号にもとづいて紙葉類を区分集積する区分手段と、
この区分手段に設けられ、区分手段における紙葉類の残留の有無を検知する検知手段と、
この検知手段から検知信号を受け、残留が有る場合にはその区分手段の位置を報知するとともに作業を停止する制御手段と、
を具備したことを特徴とする紙葉類処理装置。
【請求項７】
順序不同で供給される紙葉類を２段階の区分によって所望の順序に並べ替える機能を有する紙葉類処理装置であって、
処理情報が付された紙葉類を供給する供給手段と、
この供給手段から紙葉類を順次１枚づつ取出して搬送する搬送手段と、
この搬送手段によって搬送される紙葉類の処理情報を読取る読取り手段と、
この読取り手段による読取り信号にもとづいて紙葉類を区分集積する区分手段と、
この区分手段に設けられ、区分手段における紙葉類の残留の有無を検知する検知手段と、
この検知手段から検知信号を受け、残留が有る場合にはその区分手段の位置を報知するとともに作業を停止し、残量が無くなった状態で作業再開の指示をなす制御手段と、
を具備したことを特徴とする紙葉類処理装置。
【請求項８】
順序不同で供給される紙葉類を２段階の区分によって所望の順序に並べ替える機能を有する紙葉類処理装置であって、
処理情報が付された紙葉類を供給する供給手段と、
この供給手段から紙葉類を順次１枚づつ取出して搬送する搬送手段と、
この搬送手段によって搬送される紙葉類の処理情報を読取る読取り手段と、
この読取り手段による読取り信号にもとづいて紙葉類を区分集積する区分手段と、
この区分手段に設けられ、区分手段における紙葉類の残留の有無を検知する検知手段と、
この検知手段から検知信号を受け、残留が有る場合にはその区分手段の位置を報知するとともに作業を停止し、残量が無くなった状態で作業再開の指示をなす、もしくは作業の開始を許可する制御手段と、
を具備したことを特徴とする紙葉類処理装置。
【請求項９】
順序不同で供給される紙葉類を２段階の区分によって所望の順序に並べ替える機能を有する紙葉類処理装置であって、
処理情報が付された紙葉類を供給する供給手段と、
この供給手段から紙葉類を順次１枚づつ取出して搬送する搬送手段と、
この搬送手段によって搬送される紙葉類の処理情報を読取る読取り手段と、
この読取り手段による読取り信号にもとづいて紙葉類を区分集積する区分手段と、
この区分手段に設けられ、区分手段における紙葉類の残留の有無を検知する検知手段と、
この検知手段から検知信号を受け、残留が有る場合にはその区分手段の位置を報知するとともに作業を停止し、残量が無くなった状態で作業再開のための指示をなす、もしくは作業の開始を許可する制御手段と、
この制御手段によって制御され、１パス目の区分が終了したあと最初に紙葉類を抜取るべき区分手段を表示し、この区分手段から紙葉類を抜取られたあとつぎに紙葉類を抜取るべき区分手段を表示し、以下順に抜取りの順序を表示するガイド手段と、
を具備したことを特徴とする紙葉類処理装置。
【請求項１０】
順序不同で供給される紙葉類を２段階の区分によって所望の順序に並べ替える機能を有する紙葉類処理装置であって、
処理情報が付された紙葉類を供給する供給手段と、
この供給手段から紙葉類を順次１枚づつ取出して搬送する搬送手段と、
この搬送手段によって搬送される紙葉類の処理情報を読取る読取り手段と、
この読取り手段による読取り信号にもとづいて紙葉類を区分集積する区分手段と、
この区分手段に設けられ、区分手段における紙葉類の残留の有無を検知する検知手段と、
この検知手段から検知信号を受け、残留が有る場合にはその区分手段の位置を報知するとともに作業を停止し、残量が無くなった状態で作業再開のための指示をなす、もしくは作業の開始を許可する制御手段と、
この制御手段によって制御され、１パス目の区分が終了したあと２パス目の区分を開始する以前に、２パス目の区分で使用される区分手段に紙葉類の残留が有りの場合にその旨を報知する残留報知手段と、
を具備したことを特徴とする紙葉類処理装置。
【請求項１１】
順序不同で供給される紙葉類を２段階の区分によって所望の順序に並べ替える機能を有する紙葉類処理装置であって、
処理情報が付された紙葉類を供給する供給手段と、
この供給手段から紙葉類を順次１枚づつ取出して搬送する搬送手段と、
この搬送手段によって搬送される紙葉類の処理情報を読取る読取り手段と、
この読取り手段による読取り信号にもとづいて紙葉類を区分集積する区分手段と、
この区分手段に設けられ、区分手段における紙葉類の残留の有無を検知する検知手段と、
この検知手段から検知信号を受け、残留が有る場合にはその区分手段の位置を報知するとともに作業を停止し、残量が無くなった状態で作業再開のための指示をなす、もしくは作業の開始を許可する制御手段と、
この制御手段によって制御され、１パス目の区分が終了したあと最初に紙葉類を抜取るべき区分手段を表示し、この区分手段から紙葉類を抜取られたあとつぎに紙葉類を抜取るべき区分手段を表示し、以下順に抜取りの順序を表示するガイド手段と、
上記制御手段によって制御され、１パス目の区分が終了したあと２パス目の区分を開始する以前に、２パス目の区分で使用される区分手段に紙葉類の残留が有りの場合にその旨を報知する残留報知手段と、
を具備したことを特徴とする紙葉類処理装置。
【請求項１２】
紙葉類を２段階の区分によって所望の順序に並べ替える機能を有する紙葉類処理装置であって、
処理情報が付された紙葉類を供給する供給手段と、
この供給手段から紙葉類を順次１枚づつ取出して搬送する搬送手段と、
この搬送手段によって搬送される紙葉類の処理情報を読取る読取り手段と、
この読取り手段による読取り信号にもとづいて前記紙葉類を区分集積する区分手段と、
この区分手段に設けられ、区分手段における紙葉類の残留の有無を検知する検知手段と、
１段階目の区分が終了したあと最初に紙葉類を抜取るべき区分手段を表示し、この区分手段から紙葉類を抜取られたことを前記検知手段により検知した場合に、つぎに紙葉類を抜取るべき区分手段を表示し、以下順に抜取りの順序を表示するガイド手段と、
を具備したことを特徴とする紙葉類処理装置。
【請求項１３】
前記検知手段により、前記ガイド手段が表示した区分手段以外の区分手段から前記紙葉類が抜取られたことが検知された場合に、報知する報知手段をあらたに備えることを特徴とする請求項１２に記載の紙葉類処理装置。
【手続補正２】
【補正対象書類名】明細書
【補正対象項目名】００１８
【補正方法】変更
【補正の内容】
【００１８】
請求項１１として、順序不同で供給される紙葉類を２段階の区分によって所望の順序に並べ替える機能を有する紙葉類処理装置であって、供給手段と、搬送手段と、読取り手段と、区分手段と、検知手段と、制御手段と、ガイド手段と、残留報知手段と、を具備したことを特徴とする。
請求項１２に記載のものは、紙葉類を２段階の区分によって所望の順序に並べ替える機能を有する紙葉類処理装置であって、処理情報が付された紙葉類を供給する供給手段と、この供給手段から紙葉類を順次１枚づつ取出して搬送する搬送手段と、この搬送手段によって搬送される紙葉類の処理情報を読取る読取り手段と、この読取り手段による読取り信号にもとづいて前記紙葉類を区分集積する区分手段と、この区分手段に設けられ、区分手段における紙葉類の残留の有無を検知する検知手段と、１段階目の区分が終了したあと最初に紙葉類を抜取るべき区分手段を表示し、この区分手段から紙葉類を抜取られたことを前記検知手段により検知した場合に、つぎに紙葉類を抜取るべき区分手段を表示し、以下順に抜取りの順序を表示するガイド手段とを具備したことを特徴とする。